(57)【要約】【課題】状況監視システムを提供する。【解決手段】状況を監視するシステムは、少なくともひとつの植物の状況又は前記植物の周囲の環境状況を監視し、前記状況と前記環境状況を含む状況監視結果信号を無線によって出力するように構成された状況監視装置と、前記植物の成長状況情報と前記植物に適した環境状況情報を保存するように構成された情報部と、前記情報部に保存された前記成長状況情報と前記環境状況情報を前記状況監視結果信号と比較するように構成された比較部と、前記状況監視結果信号を受信して状況調整信号を送信するように構成された送信部と、を備える状況情報処理装置と、前記状況調整信号に従って前記環境状況を調整するように構成された状況調整装置と、を備える。【選択図】図１
2015012860.tif 000002
【特許請求の範囲】
【請求項１】
状況を監視するシステムであって、
少なくともひとつの植物の状況又は前記植物の周囲の環境状況を監視し、前記状況と前記環境状況を含む状況監視結果信号を無線によって出力するように構成された状況監視装置と、
前記植物の成長状況情報と前記植物に適した環境状況情報を保存するように構成された情報部と、
前記情報部に保存された前記成長状況情報と前記環境状況情報を前記状況監視結果信号と比較するように構成された比較部と、
前記状況監視結果信号を受信して状況調整信号を送信するように構成された送信部と、を備える状況情報処理装置と、
前記状況調整信号に従って前記環境状況を調整するように構成された状況調整装置と、
を備えたシステム。
【請求項２】
状況を監視するシステムであって、
少なくともひとつの生物の状況又は前記生物の周囲の環境状況を監視し、前記状況と前記環境状況を含む状況監視結果信号を無線によって出力するように構成された状況監視装置と、
前記生物の成長状況情報と前記生物に適した環境状況情報を保存するように構成された情報部と、
前記情報部に保存された前記成長状況情報と前記環境状況情報を前記状況監視結果信号と比較するように構成された比較部と、
前記状況監視結果信号を受信して状況調整信号を送信するように構成された送信部と、を備える状況情報処理装置と、
前記状況調整信号に従って前記環境状況を調整するように構成された状況調整装置と、を備えたシステム。
【請求項３】
状況を監視するシステムであって、
少なくともひとつの物体の状況又は前記物体の周囲の環境状況を監視し、前記状況と前記環境状況を含む状況監視結果信号を無線によって出力するように構成された状況監視装置と、
前記物体の成長状況情報と前記物体に適した環境状況情報を保存するように構成された情報部と、
前記情報部に保存された前記成長状況情報と前記環境状況情報を前記状況監視結果信号と比較するように構成された比較部と、
前記状況監視結果信号を受信して状況調整信号を送信するように構成された送信部と、を備える状況情報処理装置と、
前記状況調整信号に従って前記環境状況を調整するように構成された状況調整装置と、を備えたシステム。
【請求項４】
状況を監視するシステムであって、
少なくともひとつの物体の状況又は前記物体の周囲の環境状況を監視し、前記状況と前記環境状況を含む状況監視結果信号を無線によって出力するように構成された状況監視装置と、
前記状況監視結果信号を受信し、保存された比較情報と前記状況監視結果信号を比較し、状況調整信号を送信するように構成された状況情報処理装置と、
前記状況調整信号に従って前記環境状況を調整するように構成された状況調整装置と、
を備えたシステム。
【請求項５】
前記状況情報処理装置は、ネットワークサーバ、クラウドデバイス、パソコン、ノートブック又はモバイル機器である請求項１から４のいずれか一項に記載のシステム。
【請求項６】
前記モバイル機器は、タブレット、スマートフォン又は別のポータブル通信デバイスである請求項５に記載のシステム。
【請求項７】
前記状況情報処理装置は、
前記状況、前記環境状況、前記成長状況情報、前記環境状況情報、前記成長状況情報及び前記環境状況情報と前記状況監視結果信号との比較結果又は前記比較結果の提案を表示するように構成された表示部をさらに備えた請求項１から４のいずれか一項に記載のシステム。
【請求項８】
前記状況情報処理装置は、
前記状況情報処理装置が前記状況監視信号を受信した後所定時間後に、前記成長状況情報及び前記環境状況情報と前記状況監視結果信号との比較結果の提案に従って、前記状況調整信号を提供するように構成された自動処理部をさらに備えた請求項１から４のいずれか一項に記載のシステム。
【請求項９】
前記状況情報処理装置は、ユーザーに前記状況調整信号の調整を提供するように構成された入力部をさらに備えた請求項１から４のいずれか一項に記載のシステム。
【発明の詳細な説明】
【技術分野】
【０００１】
本発明は、状況監視システムに関するものであって、特に、環境状況を監視するシステムに関するものである。
【背景技術】
【０００２】
環境状況を監視する従来の方法としては、使用者の肉眼や個人の経験により、即座に環境中の物体を観察して保護していた。しかし、環境変化は、ユーザーにより保護される物体に大きな影響を与えているが、ユーザーにとっては環境変化を観察することは容易ではない。ユーザーが環境変化を観察する時には、ユーザーはすでに物体の救済機会を逃していて、物体を危険にさらす虞がある。従って、どのように効果的にこの問題を改善するかが重要な問題である。
【発明の概要】
【発明が解決しようとする課題】
【０００３】
本発明は、よい環境状況を維持することが可能な状況監視システムを提供することを目的とする。
【課題を解決するための手段】
【０００４】
本発明の一態様によれば、状況を監視するシステムであって、少なくともひとつの植物の状況又は前記植物の周囲の環境状況を監視し、前記状況と前記環境状況を含む状況監視結果信号を無線によって出力するように構成された状況監視装置と、前記植物の成長状況情報と前記植物に適した環境状況情報を保存するように構成された情報部と、前記情報部に保存された前記成長状況情報と前記環境状況情報を前記状況監視結果信号と比較するように構成された比較部と、前記状況監視結果信号を受信して状況調整信号を送信するように構成された送信部と、を備える状況情報処理装置と、前記状況調整信号に従って前記環境状況を調整するように構成された状況調整装置と、を備えたシステムが提供される。
【０００５】
本発明の一態様によれば、状況を監視するシステムであって、少なくともひとつの生物の状況又は前記生物の周囲の環境状況を監視し、前記状況と前記環境状況を含む状況監視結果信号を無線によって出力するように構成された状況監視装置と、前記生物の成長状況情報と前記生物に適した環境状況情報を保存するように構成された情報部と、前記情報部に保存された前記成長状況情報と前記環境状況情報を前記状況監視結果信号と比較するように構成された比較部と、前記状況監視結果信号を受信して状況調整信号を送信するように構成された送信部と、を備える状況情報処理装置と、前記状況調整信号に従って前記環境状況を調整するように構成された状況調整装置と、を備えたシステムが提供される。
【０００６】
本発明の一態様によれば、状況を監視するシステムであって、少なくともひとつの物体の状況又は前記物体の周囲の環境状況を監視し、前記状況と前記環境状況を含む状況監視結果信号を無線によって出力するように構成された状況監視装置と、前記物体の成長状況情報と前記物体に適した環境状況情報を保存するように構成された情報部と、前記情報部に保存された前記成長状況情報と前記環境状況情報を前記状況監視結果信号と比較するように構成された比較部と、前記状況監視結果信号を受信して状況調整信号を送信するように構成された送信部と、を備える状況情報処理装置と、前記状況調整信号に従って前記環境状況を調整するように構成された状況調整装置と、を備えたシステムが提供される。
【０００７】
本発明の一態様によれば、状況を監視するシステムであって、少なくともひとつの物体の状況又は前記物体の周囲の環境状況を監視し、前記状況と前記環境状況を含む状況監視結果信号を無線によって出力するように構成された状況監視装置と、前記状況監視結果信号を受信し、保存された比較情報と前記状況監視結果信号を比較し、状況調整信号を送信するように構成された状況情報処理装置と、前記状況調整信号に従って前記環境状況を調整するように構成された状況調整装置と、を備えたシステムが提供される。
【発明の効果】
【０００８】
本発明の状況監視システムでは、ローカル位置の状況監視装置とリモート位置の状況情報処理装置を用いることで、よい環境状況を維持することが可能となる。ユーザーは、状況監視システム及び状況監視方法を用いることで、即時に環境状況を監視でき、環境を保護する関連装置を制御できる。
【図面の簡単な説明】
【０００９】
【図１】本発明の実施形態による状況監視システムのブロック図である。
【図２】本発明の実施形態による状況を監視する方法のフローチャートである。
【図３】本発明の別の実施形態による状況を監視する方法のフローチャートである。
【図４】本発明の実施形態による植物状況を監視するシステムを示す図である。
【図５】本発明の実施形態による植物状況監視装置のブロック図である。
【図６】本発明の実施形態による水産養殖に用いる生物状況監視システムを示す図である。
【図７】本発明の実施形態による生物の状況監視装置のブロック図である。
【図８】本発明の実施形態による室内空気品質を監視するシステムを示す図である。
【図９】本発明の実施形態による室内空気品質監視装置のブロック図である。
【発明を実施するための形態】
【００１０】
本発明の実施形態について図１〜図９を参照しながら以下に説明する。なお、同じ参照番号を有する構成要素は同一の構成からなる。以下、本発明の実施形態による状況監視システムを説明する。
【００１１】
図１は、本発明の実施形態による状況を監視するシステム１００のブロック図である。システム１００は、状況監視装置１１０、状況情報処理装置１２０、および、状況調整装置１３０を含む。本実施形態において、例えば、状況情報処理装置１２０は、ネットワークサーバ、クラウドデバイス、パソコン、ノートブック、または、モバイル機器である。モバイル機器は、例えば、タブレット、スマートフォン、または、別のポータブル通信デイバスである。
【００１２】
状況監視装置１１０は、少なくとも物体の状況や物体周辺の環境状況を監視すると共に、物体の状況と環境状況を含む状況監視結果信号を、状況情報処理装置１２０に無線で出力するように構成されている。状況監視装置１１０は、複数のセンサー(たとえば、センサー１１１ａ〜１１１ｃ)、監視部１１２、メモリ部１１３及び無線送信部１１４を備えている。センサー１１１ａ〜１１１ｃ、監視部１１２、メモリ部１１３及び無線送信部１１４は、それぞれ、状況監視装置１１０に接続されている。本実施形態において、センサーの数は増減してもよく、３個には限定されない。センサー１１１ａ〜１１１ｃは、物体の少なくとも物体の状況や物体周辺の環境状況を感知し、状況監視結果信号を生成するように構成されている。監視部１１２は、センサー１１１ａ〜１１１ｃから送信される状況監視結果信号を受信し、状況監視結果信号をメモリ部１１３中に保存するように構成されている。監視部１１２は、無線送信部１１４により、ワイヤレス送信方式で、状況監視結果信号を状況情報処理装置１２０に無線方式で送信する。
【００１３】
無線送信方式は、たとえば、ローカルエリアネットワーク (LAN)、インターネット、ブルートゥース、Wi-Fi、Wi-Fi Direct、Zigbee、または、その他の送信方式である。
本実施形態において、状況情報処理装置１２０は、情報部１２１、比較部１２２、送信部１２３、警報部１２４、タイミング部１２５、自動処理部１２６、表示部１２７、および、入力部１２８を含む。情報部１２１は、物体の状況情報及び物体に適した環境状況情報を有している。物体に適した環境状況情報は、物体の環境状況を維持する標準値や関連情報である。当該標準値や関連情報は、各種の政府により発表される環境標準データ、または、研究機関により推奨される環境標準値である。また、ユーザーは、好ましい環境状況データを状況情報処理装置１２０にアップロードすることができるので、別のユーザーは環境状況データを参照することで物体の環境状況を調整することができる。
【００１４】
状況監視装置１１０が、状況監視結果信号を状況情報処理装置１２０に送信後、比較部１２２は、情報部１２１が有する環境状況情報を分析し、状況監視結果信号と比較することで、状況監視結果信号が物体に適した環境状況情報に適合するかどうか判断する。比較部１２２が、状況監視結果信号が物体に適した環境状況情報に適合しないと判断する場合 (すなわち、環境状況が維持される必要がある)、警報部１２４は警告信号を生成して、ユーザーに警告する。警告信号は、例えば、ビデオ、または、音声メッセージである。
【００１５】
比較部１２２が、状況監視結果信号が物体に適した環境状況情報に適合すると判断する時、比較部１２２は、状況監視結果信号を情報部１２１に保存する。ユーザーは、状況情報処理装置１２０により、情報部１２１から物体の成長状況情報を取り出し、入力部１２８により、状況調整信号を入力することができる。状況情報処理装置１２０は、送信部１２３により、インターネットやローカルエリアネットワーク経由で、状況調整信号を状況調整装置１３０に送信する。最後に、状況調整装置１３０は、調整信号にしたがって、環境状況を調整し、環境状況に適した対策を講じる。このほか、ユーザーは、所定期間にしたがって、状況情報処理装置１２０に、新しい状況監視結果信号の送信を要求することができる。
【００１６】
警報部１２４が警告信号を生成して、ユーザーに通知する時、タイミング部１２４は警告時間を計測して、警告時間が規定の時間を超えているかを判断する。規定の時間はゼロ又は任意の時間でよい。警告時間が規定の時間を超えた場合は、ユーザーが状況調整信号を状況情報処理装置１２０に入力していないことを示し、自動処理部１２６は、情報の比較結果の提案にしたがって、状況調整信号を状況調整装置１３０に提供する。警告時間が規定の時間を超えない場合、状況情報処理装置１２０は、所定期間にしたがって、状況監視装置１１０に、新しい状況監視結果信号の送信を要求する。
【００１７】
別の実施形態において、警報部１２４が警告信号を生成してユーザーに知らせるとき、ユーザーは、状況調整信号を入力して、自動処理部１２６に、物体を保護するように要求することができる。状況監視装置１１０が、状況監視結果信号が物体に適した環境状況情報に適合することを検出するまで、警報部１２４は警告信号を解除しない。
【００１８】
図２は、本発明の実施形態による状況を監視する方法２００のフローチャートである。ステップ２０２において、状況監視装置は、少なくともひとつの物体の状況又は物体周辺の環境状況を監視し、物体の状況と環境状況を含む状況監視結果信号を無線で出力する。ステップ２０４において、状況情報処理装置は、比較部により、情報部中の情報と状況監視結果信号を比較する。その後、ステップ２０６において、状況情報処理装置は、送信部により、状況監視結果信号を受信し、状況調整信号を状況調整装置に送信する。最後に、ステップ２０８において、状況調整装置は、状況調整信号にしたがって、環境状況を最高の状況に調整する。
【００１９】
図３は、本発明の別の実施形態による状況を監視する方法３００を示すフローチャートである。ステップ３０２において、状況監視装置は、少なくともひとつの物体の状況、または、物体周辺の環境状況を監視し、物体の状況と環境状況を含む状況監視結果信号を無線で出力する。ステップ３０４において、状況情報処理装置は、比較部により、情報部中の情報と状況監視結果信号を比較する。その後、ステップ３０６において、比較部は、状況監視結果信号が物体に適した環境状況情報に適合するかどうか判断する。比較部が、状況監視結果信号が物体に適した環境状況情報に適合すると判断する時 (ステップ３０６で“ＹＥＳ”)、ステップ３０８において、比較部は、状況監視結果信号のデータを情報部に保存する。比較部が、状況監視結果信号が物体に適した環境状況情報に適合しないと判断する時 (ステップ３０６で“ＮＯ”)、ステップ３１０において、警報部は警告信号を生成して、ユーザーに通知する。次に、ステップ３１２において、タイミング部は警告時間を計測して、警告時間が規定の時間を超えているかどうか判断する。警告時間が規定の時間を超えない場合(ステップ３１２で“ＮＯ”)、ステップ３１４において、状況情報処理装置は、所定期間にしたがって、状況監視装置に、新しい状況監視結果信号の送信を要求する。警告時間が規定の時間を超えているとき (ステップ３１２で“ＹＥＳ”)、ステップ３１６において、自動処理部は、情報の比較結果の提案にしたがって、状況調整信号を状況調整装置に提供する。最後に、ステップ３１８において、状況調整装置は、状況調整信号にしたがって、環境状況を最高の状況に調整する。
【００２０】
状況監視システムは、植物周囲の環境を監視するための植物状況の監視システムであってもよい。図４は、本発明の実施形態による植物状況を監視するシステム４００を示す図である。植物状況を監視するシステム４００は、植物状況監視装置４１０、状況情報処理装置４３０、および、状況調整装置 (図４で示されない)を備えている。
【００２１】
植物状況監視装置４１０は植物の近くに設置される。植物４４１は、例えば、植物、花、草等である。植物状況を監視するシステム４００は、さらに、スプリンクラー４４２、ソーラーパネル４４３、接続部４４０、栄養供給部４４４、酸濃度制御部４４５、および、温度制御部４４６を含む。
【００２２】
図５は、本発明の実施形態による植物状況監視装置４１０のブロック図である。植物状況監視装置４１０は、少なくともひとつの植物の状況又は植物周辺の環境状況を監視し、植物の状況と環境状況を含む状況監視結果信号を無線で出力するように構成されている。植物状況監視装置４１０は、複数のセンサー(光センサー４１１ａ、温度センサー４１１ｂ、土壌水分センサー４１１ｃ、酸濃度センサー４１１ｄ、および、栄養センサー４１１ｅ)、メモリ部４１２、監視部４１３、無線送信部４１４、および、電源部４１６を備える。光センサー４１１ａ、温度センサー４１１ｂ、土壌水分センサー４１１ｃ、酸濃度センサー４１１ｄ、および、栄養センサー４１１ｅは植物の近くに設置され、監視部４１３に接続される。また、センサーの種類と数は特に限定されておらず、植物の状況に応じて決定される。
【００２３】
本実施形態において、光センサー４１１ａ、温度センサー４１１ｂ、土壌水分センサー４１１ｃ、酸濃度センサー４１１ｄ、および、栄養センサー４１１ｅは、光測定値、温度測定値、湿度測定値、酸濃度測定値、および、栄養測定値をそれぞれ監視部４１３に送信するように構成されている。監視部４１３は、これらの測定値を植物状況監視装置４１０のメモリ部４１２に保存するように構成されている。監視部４１３は、無線送信部４１４により、全ての状況監視結果信号を状況情報処理装置４３０に送信するように構成されている。
【００２４】
図１に示されるように、状況情報処理装置４３０は、情報部、比較部、送信部、警報部、タイミング部、自動処理部、表示部、および、入力部を備えている。各構成要素は、上述した実施形態の説明と同じであるので、そのシステムの技術の詳細の説明はここでは省略する。
【００２５】
尚、比較部が、状況監視結果信号が植物に適した環境状況情報に適合せず、ユーザーが規定の時間で状況調整信号を入力しないと判断する場合、自動処理部は、状況監視結果信号を分析し、情報の比較結果の提案にしたがって状況調整信号を状況調整装置に提供してもよい。状況調整装置は、状況調整信号にしたがって環境状況を調整する。たとえば、比較部が、光センサー４１１ａにより監視される日照量が、植物に適した光の環境状況情報に適合しないと判断した場合、自動処理部は、光状況調整信号を状況調整装置に提供してもよい。状況調整装置が光状況調整信号を受信後、状況調整装置は、ソーラーパネル４４３の角度を制御し、ソーラーパネル４４３を日よけボードとして、植物４４１に照射する光線の量を減少させてもよい。また、監視部４１０は、ソーラーパネル４４３から収集された光を電源部４１６の電力に変換してもよい。また、電源部４１６の電力が不足しているとき、監視部４１０は、ソーラーパネル４４３の角度を変化させて、ソーラーパネルにさらに多くの光を収集させてもよい。尚、状況調整装置は、ソーラーパネル４４３を用いないで、別の方法を用いて、光線の量を制御してもよい。このほか、植物を照らす光線が人工光である場合、光量は人工光により制御されてもよい。
【００２６】
また、土壌水分センサー４１１ｃにより監視される土壌水分が、植物に適した土壌環境状況情報に適合しないと比較部が判断するとき、自動処理部は、状況調整信号を状況調整装置に送信してもよい。状況調整装置が状況調整信号を受信後、状況調整装置は、スプリンクラー４４２により供給される水分量を制御して、植物４４１の土壌水分を増減してもい。また、比較栄養センサー４１１ｅにより監視される栄養が栄養植物に適した環境状況情報に適合しないと比較部が判断するとき、自動処理部は、栄養調整信号を状況調整装置に送信してもよい。状況調整装置が栄養調整信号を受信後、状況調整装置は、栄養供給部４４４を制御して、植物４４１への栄養を増加させる肥料を加える。
【００２７】
他の実施形態において、状況監視システムは、水産養殖環境の生物状況を監視する監視するシステムであってもよい。図６は、本発明の実施形態による水産養殖に用いる生物状況監視システム６００を示す図である。生物の状況を監視するシステム６００は、生物の状況監視装置６１０、状況情報処理装置６３０及び状況調整装置 (図６に示されない)を備える。
【００２８】
生物の状況監視装置６１０が養殖池６４０に設置され、各種魚、エビ、貝、藻、水生植物及び別の生物６４１等が養殖池６４０で養殖されてもよい。養殖池６４０には、照明部６４２、栄養供給部６４３、フィルター部６４４、および、ウォーターポンプ６４５が搭載されている。
【００２９】
図７は、本発明の実施形態による生物の状況監視装置６１０のブロック図である。生物の状況監視装置６１０は、少なくともひとつの生物の状況や生物周囲の環境状況を監視し、生物の状況と環境状況を含む状況監視結果信号を無線で出力するように構成されている。生物の状況監視装置６１０は、複数のセンサー (光センサー６１１ａ、酸濃度センサー６１１ｂ、酵素センサー６１１ｃ及び透明度センサー６１１ｄ)、メモリ部６１２、監視部６１３、無線送信部６１４及び電源部６１６を備える。光センサー６１１ａ、酸濃度センサー６１１ｂ、酵素センサー６１１ｃ及び透明度センサー６１１ｄは養殖池６４０に設置され、監視部６１３に接続される。尚、センサーの種類と数は図７には限定されず、生物の状況に応じて適宜決定される。
【００３０】
本実施形態において、光センサー６１１ａ、酸濃度センサー６１１ｂ、酵素センサー６１１ｃ及び透明度センサー６１１ｄは、光測定値、酸濃度測定値、酸素測定値及び透明度測定値をそれぞれ監視部６１３に送信するように構成されている。監視部６１３は、これら測定値を生物の状況監視装置６１０のメモリ部６１２中に保存するように構成されている。監視部６１３は、無線送信部６１４により、全ての状況監視結果信号を状況情報処理装置６３０に送信するように構成されている。
【００３１】
図１に示されるように、状況情報処理装置６３０は、情報部、比較部、送信部、警報部、タイミング部、自動処理部、表示部、および、入力部を備えている。各構成要素は、上述した実施形態の説明と同じであるので、そのシステムの技術の詳細の説明はここでは省略する。
【００３２】
尚、状況監視結果信号が生物に適した環境状況情報に適合せず、ユーザーが規定の時間で、状況調整信号を入力しないと比較部が判断する場合、自動処理部は、状況監視結果信号を分析し、情報の比較結果の提案にしたがって状況調整信号を状況調整装置に提供してもよい。状況調整装置は、状況調整信号にしたがって環境状況を調整する。たとえば、比較部が、酵素センサー６１１ｃにより監視される酸素の量が、生物に適した酸素の環境状況情報に適合しないと判断する場合、自動処理部は、酸素調整信号を状況調整装置に提供してもよい。状況調整装置が酸素調整信号を受信後、状況調整装置は、ウォーターポンプ６４５を制御して、空気を養殖池６４０に注入して、酸素を増加させると共に、水流を増加させる。 
【００３３】
透明度センサー６１１ｄにより監視される透明度が、生物に適した透明度の環境状況情報に適合しないと比較部が判断するとき、自動処理部は、透明度調整信号を状況調整装置に送信してもよい。状況調整装置が透明度調整信号を受信後、状況調整装置はフィルター部６４４を制御して、水をろ過する。
【００３４】
別の実施形態において、状況監視システムは、室内空気質 (ＩＡＱ)を監視するのに用いられる室内空気品質の監視システムであってもよい。図８は、本発明の実施形態による室内空気品質を監視するシステム８００を示す図である。室内空気品質を監視するシステム８００は、室内空気品質監視装置８１０、状況情報処理装置８３０、および、状況調整装置 (図８に示されない)を備える。
【００３５】
室内空気品質監視装置８１０は家８４０に設置される。分離式エアコンの室内部８４１、分離式エアコンの室外部８４２、および、空気抜き器８４３が家８４０に取り付けられる。 
【００３６】
図９は、本発明の実施形態による室内空気品質監視装置８１０のブロック図である。室内空気品質監視装置８１０は、複数のセンサー(温度センサー８１１ａ、二酸化炭素センサー８１１ｂ、エアゾール センサー８１１ｃ、および、オゾン濃度センサー８１１ｄ)、メモリ部８１２、監視部８１３、無線送信部８１４及び電源部８１６を備えている。温度センサー８１１ａ、二酸化炭素センサー８１１ｂ、エアゾールセンサー８１１ｃ及びオゾン濃度センサー８１１ｄは家８４０に設置され、監視部８１３に接続されている。尚、センサーの種類と数は図９には限定されず、室内空気質に応じて適宜決定される。
【００３７】
本実施形態において、温度センサー８１１ａ、二酸化炭素センサー８１１ｂ、エアゾールセンサー８１１ｃ及びオゾン濃度センサー８１１ｄは、温度測定値、二酸化炭素測定値、エアゾール測定値及びオゾン濃度測定値を、それぞれ監視部８１３に送信するように構成されている。監視部８１３は、これら測定値を室内空気品質監視装置８１０のメモリ部８１２に保存するように構成される。監視部８１３は、無線送信部８１４により、全ての状況監視結果信号を状況情報処理装置８３０に送信するように構成される。
【００３８】
図１に示されるように、状況情報処理装置８３０は、情報部、比較部、送信部、警報部、タイミング部、自動処理部、表示部、および、入力部を備えている。各構成要素は、上述した実施形態の説明と同じであるので、そのシステムの技術の詳細の説明はここでは省略する。
【００３９】
尚、状況監視結果信号が環境状況情報に適合せず、ユーザーが状況調整信号を規定の時間で入力しないと比較部が判断する場合、自動処理部は、状況監視結果信号を分析し、情報の比較結果の提案にしたがって状況調整信号を状況調整装置に提供してもよい。状況調整装置は、状況調整信号にしたがって環境状況を調整する。たとえば、比較部が、エアゾールセンサー８１１ｃにより監視されるエアゾールの量が、エアゾールの環境状況情報に適合しないと判断する場合、自動処理部は、エアゾール調整信号を状況調整装置に提供してもよい。状況調整装置がエアゾール調整信号を受信後、状況調整装置は、空気抜き器８４３を制御して、空気を抽出し、空気中のエアゾールを減少させる。
【００４０】
温度センサー８１１ａにより監視される温度が、温度環境状況情報に適合しないと比較部が判断するとき、自動処理部は、温度調整信号を状況調整装置に送信してもよい。状況調整装置が温度調整信号を受信後、状況調整装置は、分離式エアコンの室内部８４１を制御して、温度を調整する。
【００４１】
以上より、本発明の状況監視システムでは、ローカル位置の状況監視装置とリモート位置の状況情報処理装置を用いることで、よい環境状況を維持することが可能となる。ユーザーは、状況監視システム及び状況監視方法を用いることで、即時に環境状況を監視でき、環境を保護する関連装置を制御できる  
【００４２】
本発明の実施形態について説明したが、これらは決して本発明を限定するものではなく、当業者なら本発明の精神と領域を脱しない範囲内で各種の変更を加えることが可能である。このように、本発明の技術的範囲は、特許請求の範囲に記載した内容に基づいて決定される。
【符号の説明】
【００４３】
１００  システム
１１０  状況監視装置
１１１ａ、１１１ｂ、１１１ｃ  センサー
１１２  監視部
１１３  メモリ部
１１４  無線送信部
１２０  状況情報処理装置
１２１  情報部
１２２  比較部
１２３  送信部
１２４  警報部
１２５  タイミング部
１２６  自動処理部
１２７  表示部
１２８  入力部
１３０  状況調整装置
４００  システム
４１０  植物状況監視装置
４１１ａ  光センサー
４１１ｂ  温度センサー
４１１ｃ  土壌水分センサー
４１１ｄ  酸濃度センサー
４１１ｅ  栄養センサー
４１２  メモリ部
４１３  監視部
４１４  無線送信部
４１６  電源部
４３０  状況情報処理装置
４４０  接続部
４４１  植物
４４２  スプリンクラー
４４３  ソーラーパネル
４４４  栄養供給部
４４５  酸濃度制御部
４４６  温度制御部
６００  システム
６１０  生物の状況監視装置
６１１ａ  光センサー
６１１ｂ  酸濃度センサー
６１１ｃ  酵素センサー
６１１ｄ  透明度センサー
６１２  メモリ部
６１３  監視部
６１４  無線送信部
６１６  電源部
６３０  状況情報処理装置
６４０  養殖池
６４１  別の生物
６４２  照明部
６４３  栄養供給部
６４４  フィルター部
６４５  ウォーターポンプ
８００  システム
８１０  室内空気品質監視装置
８１１ａ  温度センサー
８１１ｂ  二酸化炭素センサー
８１１ｃ  エアゾール センサー
８１１ｄ  オゾン濃度センサー
８１２  メモリ部
８１３  監視部
８１４  無線送信部
８１６電源部
８３０  状況情報処理装置
８４０  箇所
８４１  室内部
８４２  分離式エアコンの室外部
８４３  空気抜き器
【図１】
2015012860.tif 000003
【図２】
2015012860.tif 000004
【図３】
2015012860.tif 000005
【図４】
2015012860.tif 000006
【図５】
2015012860.tif 000007
【図６】
2015012860.tif 000008
【図７】
2015012860.tif 000009
【図８】
2015012860.tif 000010
【図９】
2015012860.tif 000011